(57)【要約】      （修正有）【課題】電源電流の変動の影響を受けることなくファンモータの拘束による故障が生じたことを確実に検出する。【解決手段】ファンモータの故障検出装置４０を備える筐体冷却装置１０は、筐体Ｂの内部空間の空気と外部空間の空気を熱交換する熱交換器２０と、筐体Ｂの内部空間の空気を熱交換器２０に送出する第１ファンモータ３１と、筐体Ｂの外部空間の空気を熱交換器２０に送出する第２ファンモータ３２と、ファンモータの故障検出装置４０とを備えている。故障検出装置４０は、制御装置４１と、第１及び第２ファンモータ３１，３２に流れる各電流を計測する第１及び第２電流計測器４２，４３とを備え、制御装置４１により第１及び第２電流計測器４２，４３により計測される一方の電流値から他方の電流値を減じた値が所定のしきい値を超えたときに一方の電流値が計測された第１または第２ファンモータ３１，３２の拘束による故障が生じたと判断する。【選択図】図１
2009254114.tif 000002
【特許請求の範囲】
【請求項１】
第１ファンモータと第２ファンモータとが同一の交流電源に対して並列に接続された送風装置に用いるものであって、
前記第１及び第２ファンモータに流れる各電流を計測する第１及び第２電流計測器と、
前記第１及び第２電流計測器により計測される何れか一方の電流値から他方の電流値を減じた値が所定のしきい値を超えたときに前記一方の電流値が計測された前記第１または第２ファンモータに拘束による故障が生じたと判断する制御装置とを備えたことを特徴とするファンモータの故障検出装置。
【請求項２】
前記制御装置は、前記第１及び第２ファンモータが正常作動状態において前記第１及び第２電流計測器により計測される各電流値が互いに異なる場合には両方の正常作動状態における電流値が互いに同一となるように少なくとも一方の電流値に所定の補正係数を乗じて補正電流値を算出する補正手段とを備え、前記補正電流値を前記一方または他方の電流値として用いて前記第１または第２ファンモータの拘束による故障が生じたか否かを判断すること特徴とする請求項１に記載のファンモータの故障検出装置。
【請求項３】
前記制御装置は、前記第１及び第２ファンモータの回転開始時に一時的に高くなる開始電流の最大値と回転開始後の通常回転時の通常電流値との差に所定の許容係数を乗じて前記しきい値を算出するしきい値算出手段とを備えたことを特徴とする請求項１または請求項２に記載のファンモータの故障検出装置。
【請求項４】
請求項１〜請求項３の何れか１項に記載のファンモータの故障検出装置を用いるファンモータの故障検出方法。
【請求項５】
発熱体を収容した筐体に取り付けられてこの筐体の内部空間の空気と外部空間の空気を熱交換する熱交換器と、前記筐体に取り付けられて前記筐体の内部空間の空気を前記熱交換器に送出する前記送風装置の前記第１ファンモータと、前記筐体に取り付けられて前記筐体の外部空間の空気を前記熱交換器に送出する前記送風装置の前記第２ファンモータとを備えた筐体冷却装置において、
請求項１〜請求項３の何れか１項に記載のファンモータの故障検出装置を備えたことを特徴とする筐体冷却装置。
【発明の詳細な説明】
【技術分野】
【０００１】
本発明は、ファンモータの故障検出装置、ファンモータの故障検出方法及びファンモータの故障検出装置を備えた筐体冷却装置に関する。
【背景技術】
【０００２】
特許文献１には、筐体内に収容した電子機器を冷却するファンの故障検出装置が開示されている。このファンの故障検出装置は、１台または２台以上のファンに流れる電流を検出する電流検出器と、電流検出器による検出値と正常動作時に１台または２台以上のファンに流れる電流値とを比較して検出値が許容値を超えたときに異常信号を出力する比較器と、異常信号が出力されたとき警報を発する警報器とを備えている。
【０００３】
このファンの故障検出装置では、何れかのファンに断線による故障が発生すると、電流検出器により許容値の下限を超えた電流が検出され、比較器はファンに断線による故障が発生したと判断して異常信号を出力して警報器を作動させる。また、このファンの故障検出装置では、何れかのファンに拘束による故障が発生すると、電流検出器により許容値の上限を超えた電流が検出され、比較器はファンに拘束による故障が発生したと判断して異常信号を出力して警報器を作動させる。
【特許文献１】特開平５−２９２７９１号公報。
【発明の開示】
【発明が解決しようとする課題】
【０００４】
上記のファンの故障検出装置においては、工場等で同じ交流電源からファンとともに複数の電気機器を駆動させることがあり、交流電源からファンに供給される電流は、必ずしも一定でなく他の電気機器の使用状況により変動することがある。このような原因でファンに流れる電流が変動すると、ファンに拘束による故障が発生していなくても、他の電気機器の使用状況によりファンに許容値の上限を超えた電流が流れることで、拘束による故障が発生したと誤検出をすることがあり、これと逆にファンに拘束による故障が発生しても、他の電気機器の使用状況によりファンに許容値の上限を超えた電流が流れないことで、ファンに拘束による故障が発生しても検出できないことがある。本発明はこのような問題を解決することを目的とする。
【課題を解決するための手段】
【０００５】
このため、本発明によるファンモータの故障検出装置は、第１ファンモータと第２ファンモータとが同一の交流電源に対して並列に接続された送風装置に用いるものであって、第１及び第２ファンモータに流れる各電流を計測する第１及び第２電流計測器と、第１及び第２電流計測器により計測される何れか一方の電流値から他方の電流値を減じた値が所定のしきい値を超えたときに一方の電流値が計測された第１または第２ファンモータに拘束による故障が生じたと判断する制御装置とを備えたことを特徴とする。
【０００６】
前項の発明において、制御装置は、第１及び第２ファンモータが正常作動状態において第１及び第２電流計測器により計測される各電流値が互いに異なる場合には両方の正常作動状態における電流値が互いに同一となるように少なくとも一方の電流値に所定の補正係数を乗じて補正電流値を算出する補正手段とを備え、補正電流値を一方または他方の電流値として用いて第１または第２ファンモータの拘束による故障が生じたか否かを判断すること特徴とする。
【０００７】
前各項の発明において、制御装置は、第１及び第２ファンモータの回転開始時に一時的に高くなる開始電流の最大値と回転開始後の通常回転時の通常電流値との差に所定の許容係数を乗じてしきい値を算出するしきい値算出手段とを備えたことを特徴とする。
【０００８】
また、本発明によるファンモータの故障検出方法は、前記ファンモータの故障検出装置を用いることを特徴とする。
【０００９】
また、本発明による筐体冷却装置は、発熱体を収容した筐体に取り付けられてこの筐体の内部空間の空気と外部空間の空気を熱交換する熱交換器と、筐体に取り付けられて筐体の内部空間の空気を熱交換器に送出する送風装置の第１ファンモータと、筐体に取り付けられて筐体の外部空間の空気を熱交換器に送出する送風装置の第２ファンモータとを備えた筐体冷却装置において、前記ファンモータの故障検出装置を備えたことを特徴とする。
【発明の効果】
【００１０】
本発明に係るファンモータの故障検出装置によれば、第１及び第２ファンモータに流れる各電流を計測する第１及び第２電流計測器と、第１及び第２電流計測器により計測される何れか一方の電流値から他方の電流値を減じた値が所定のしきい値を超えたときに一方の電流値が計測された第１または第２ファンモータに拘束による故障が生じたと判断する制御装置とを備えている。第１及び第２ファンモータに供給される各電流は、交流電源に接続される他の電気機器の電力使用状況により変動することがあるが、この変動は第１及び第２ファンモータにそれぞれ同じように生じるものであるので、一方の電流値から他方の電流値を減じた値はこの変動の影響を受けることがない。よって、第１及び第２ファンモータに供給される各電流の変動による影響を受けることなく各ファンモータの拘束による故障を検出することができる。
【００１１】
制御装置は、第１及び第２ファンモータが正常作動状態において第１及び第２電流計測器により計測される各電流値が互いに異なる場合には両方の正常作動状態における電流値が互いに同一となるように少なくとも一方の電流値に所定の補正係数を乗じて補正電流値を算出する補正手段とを備え、補正電流値を一方または他方の電流値として用いて第１または第２ファンモータに拘束による故障が生じたと判断するようにした請求項２に記載の発明によれば、第１及び第２ファンモータに仕様や規格が異なることで電流の大きさが異なるファンモータを用いることも可能となる。
【００１２】
制御装置は、第１及び第２ファンモータの回転開始時に一時的に高くなる開始電流の最大値と回転開始後の通常回転時の通常電流値との差に所定の許容係数を乗じてしきい値を算出するしきい値算出手段とを備えた請求項３の発明によれば、しきい値を算出するために用いられる開始電流の最大値は、第１及び第２ファンモータが拘束による故障をしたときに流れる電流値と相関関係があるので、個々のファンモータ毎に適切なしきい値を設定することができ第１及び第２ファンモータが拘束による故障が生じたか否かの判断を確実にできるようになる。
【００１３】
また、本発明によるファンモータの故障検出方法によれば、上記のファンモータの故障検出装置を用いているので、上記と同様の効果を得ることができる。
【００１４】
また、本発明による筐体冷却装置によれば、発熱体を収容した筐体に取り付けられてこの筐体の内部空間の空気と外部空間の空気を熱交換する熱交換器と、筐体に取り付けられて筐体の内部空間の空気を熱交換器に送出する送風装置の第１ファンモータと、筐体に取り付けられて筐体の外部空間の空気を熱交換器に送出する送風装置の第２ファンモータとを備えた筐体冷却装置において、前記ファンモータの故障検出装置を備えているので、上記と同様の効果を得ることができるとともに、第１または第２ファンモータが拘束による故障が生じたか否かの判断が確実に行えて、筐体内の発熱体を確実に冷却することができる。
【発明を実施するための最良の形態】
【００１５】
図１〜図３により、本発明によるファンモータの故障検出装置を備えた筐体冷却装置の一実施形態を説明する。この実施形態の筐体冷却装置１０は、図１に示すように、発熱体となる制御盤Ｃを収容した筐体Ｂの何れかの側面部に取り付けられており、ケーシング１１と、熱交換器２０と、第１ファンモータ３１と第２ファンモータ３２とからなる送風装置３０と、ファンモータの故障検出装置４０とを備えている。なお、この実施形態の筐体冷却装置１０は、ファンモータの故障検出装置４０を用いたファンモータの故障検出方法により送風装置３０の各ファンモータ３１，３２の故障を検出するものである。
【００１６】
図１に示すように、ケーシング１１は、前面と背面の一部が開口した略長方形状をしており、熱交換器２０と第１ファンモータ３１と第２ファンモータ３２とを一体にして筐体Ｂの側面開口に取り付けるものである。ケーシング１１の高さ方向の中間部より少し下側には、ケーシング１１内の空間を上下方向に仕切って下部空間Ｓ１と上部空間Ｓ２とに分ける仕切板１２が設けられている。ケーシング１１の前面下部には、下部空間Ｓ１と筐体Ｂの内部空間とを連通する開口１１ａが設けられており、この開口１１ａには、第１ファンモータ３１が取り付けられている。また、ケーシング１１の背面で上端から中間部より下側位置には、上部空間Ｓ２と筐体Ｂの外部空間とを連通する開口１１ｂが設けられており、この開口１１ｂの上部には第２ファンモータ３２が取り付けられている。
【００１７】
図１に示すように、熱交換器２０は、筐体Ｂの内部空間の空気と外部空間の空気を熱交換するものであり、熱伝導性の高いアルミニウム製の複数の管部材２１よりなる。熱交換器２０は、ケーシング１１の上部空間Ｓ２内の前部に配置されており、各管部材２１の下端部は仕切板１２を貫通して下端の流入口２２が下部空間Ｓ１に開口しており、各管部材２１の上端部はケーシング１１の天板を貫通して上端の流出口２３が筐体Ｂの内部空間に開口している。熱交換器２０は、各管部材２１の流入口２２から流入する筐体Ｂの内部空間の空気を筐体Ｂの外部空間の空気と熱交換させることで冷却し流出口２３から筐体Ｂの内部空間に還流させる。
【００１８】
送風装置３０の第１ファンモータ３１は、その前側から筐体Ｂの内部空間の空気を吸い込んで、熱交換器２０の各管部材２１内に送出するものである。第１ファンモータ３１は、交流電源より供給される電流により回転するものである。
【００１９】
送風装置３０の第２ファンモータ３２は、その後側から筐体Ｂの外部空間の空気を吸い込んで、熱交換器２０の各管部材２１の外周面の間に送出するものである。第２ファンモータ３２により熱交換器２０の各管部材２１の外周面の間に送出された筐体Ｂの外部空間の空気は、熱交換器２０の各管部材２１内を通過する筐体Ｂの内部空間の加熱された空気と熱交換して再び上部空間Ｓ２の下半部から排出される。第２ファンモータ３２は第１ファンモータ３１と並列に接続されて、同一の交流電源から電流が供給されている。第２ファンモータ３２は、第１ファンモータ３１と同一仕様のものでも、別仕様のものでもよい。
【００２０】
ファンモータの故障検出装置４０は、第１及び第２ファンモータ３１，３２が拘束による故障が生じたことを検出するものであり、制御装置４１と、第１及び第２電流計測器４２，４３とを備えている。制御装置４１は、マイクロコンピュータより構成されており、第１及び第２ファンモータ３１，３２が拘束による故障が生じたことを判断する。制御装置４１には、第１及び第２電流計測器４２，４３が接続されており、第１及び第２電流計測器４２，４３は、第１及び第２ファンモータ３１，３２に流れる電流をそれぞれ計測して、計測した各電流を実効値として制御装置４１に出力する。制御装置４１は、第１及び第２ファンモータ３１，３２が同一仕様の場合には、第１及び第２電流計測器４２，４３の一方により計測された電流値から他方により計測された電流値を減じた値が所定のしきい値を超えたときに一方の電流値が計測された第１または第２ファンモータ３１，３２の拘束による故障が生じたと判断する。なお、制御装置４１は、第１及び第２ファンモータ３１，３２が断線による故障が生じたことも判断するものであり、第１及び第２電流計測器４２，４３により計測される各電流値が０となったときに第１または第２ファンモータ３１，３２の断線による故障が生じたと判断する。制御装置４１は、メモリ４４を内蔵しており、このメモリ４４は、第１及び第２ファンモータ３１，３２における拘束による故障が生じたと判断する上記しきい値を読み書き自在に記憶するものである。制御装置４１には、警報器４５が接続されており、制御装置４１は第１または第２ファンモータ３１，３２が拘束による故障または断線による故障が生じたと判断したときに、警報器４５により第１または第２ファンモータ３１，３２が故障が生じたことを報知する。なお、警報器４５による故障が生じたことの報知は、ランプなどの光や音声により行う。
【００２１】
また、制御装置４１は、第１及び第２ファンモータ３１，３２が正常作動状態に、第１及び第２電流計測器４２，４３により計測される各電流値ｆ１，ｆ２が互いに異なるときに両方の電流値が互いに同一となるように少なくとも一方（本実施形態では両方）の電流値に所定の補正係数を乗じて補正する補正手段を備えている。この補正手段は、第１及び第２ファンモータ３１，３２の仕様が異なる場合に、正常作動状態における各電流値をそれぞれ補正電流値として直接比較できるようにするためのものである。なお、第１及び第２ファンモータ３１，３２の正常作動状態とは、断線及び拘束による故障を生じていない状態をいう。
【００２２】
この補正手段は、補正係数を算出する補正係数算出手段を備えており、第１及び第２ファンモータ３１，３２が正常作動状態にあるときに図示しない補正ボタンが押されると、この補正係数算出手段は、補正ボタンが押されたときに第１及び第２電流計測器４２，４３により計測される各電流値ｆ１ａ，ｆ２ａが互いに同一の補正電流値Ｆとなるような第１及び第２補正係数Ｒ１，Ｒ２（Ｒ１＝Ｆ／ｆ１ａ，Ｒ２＝Ｆ／ｆ２ａ）を算出する。このように補正係数算出手段により算出された補正係数Ｒ１，Ｒ２を用いて、補正手段は、計測される電流値ｆ１，ｆ２に補正係数Ｒ１，Ｒ２を乗じた第１及び第２補正電流値Ｆ１，Ｆ２を算出する。
【００２３】
なお、補正係数算出手段は補正ボタンが押されたときに第１及び第２電流計測器４２，４３により計測された各電流値ｆ１ａ，ｆ２ａが互いに同一となる補正電流値Ｆとなるような補正係数を算出しているが、補正ボタンが押されたときの前後の所定時間の平均電流値が前述した同一となる補正電流値Ｆとなるような補正係数Ｒ１，Ｒ２を算出するようにしてもよく、このようにすれば、一時的な電流値の変動を受けることなく補正係数Ｒ１，Ｒ２が算出することができ、補正係数Ｒ１，Ｒ２の信頼度が増すことになる。
【００２４】
制御装置４１は、第１及び第２ファンモータ３１，３２の回転開始時に一時的に高くなる開始電流の最大値から通常回転時の通常電流値との差に拘束と判断する許容範囲を定める許容係数Ｐを乗じてしきい値を算出するしきい値算出手段を備えている。第１及び第２ファンモータ３１，３２の開始電流の最大値は、拘束による故障の際の拘束電流と相関関係がある。しきい値算出手段は、このようなファンモータの特性を利用してしきい値を算出するものであり、以下に第１ファンモータ３１のしきい値算出手段について説明する。
【００２５】
しきい値算出手段は、第１ファンモータ３１の回転開始時に第１電流計測器４２により計測される開始電流の最大値ｆ１ｂと第１ファンモータ３１が回転開始時以後の通常運転時に第１電流計測器４２により計測される電流値ｆ１ｃとの差ΔＣ１（＝ｆ１ｂ−ｆ１ｃ）を算出し、この差ΔＣ１に拘束による故障と判断する許容範囲を定める許容係数Ｐ（０＜Ｐ≦１）を乗じた値を第１しきい値Ｄ１（＝ΔＣ１×Ｐ）として算出する。なお、許容係数Ｐは、拘束による故障と判断する際の許容範囲を定めるものであり、この許容係数Ｐが０に近ければ、僅かな電流の差でも拘束による故障と判断するので、拘束による故障が生じていなくても拘束による故障と誤って判断するおそれが生じる。また、許容係数Ｐが１に近ければ、実際に拘束による故障が生じていない僅かな電流の差を故障と判断することはないが、拘束による故障が生じた場合でも誤って拘束による故障と判断しなくなるおそれがある。よって、この許容係数Ｐは、両方を満足するように適切な中間の値に設定されている。また、上記した補正手段による補正をしているときには、しきい値算出手段により算出された第１しきい値Ｄ１に上記第１補正係数Ｒ１（＝Ｆ／ｆ１ａ）を乗じた第１補正しきい値（しきい値）Ｄａ１（＝ΔＣ１×Ｐ×Ｒ１）を用いる。なお、第２ファンモータ３２についてもしきい値算出手段は、第１ファンモータ３１と同様の第２しきい値Ｄ２（＝ΔＣ２×Ｐ）及び第２補正しきい値Ｄａ２（＝ΔＣ２×Ｐ×Ｒ２）を算出するしきい値算出手段が設けられている。
【００２６】
次に、以上のように構成したファンモータの故障検出装置４０を用いた筐体冷却装置１０の作動について説明する。筐体冷却装置１０の運転を開始すると、第１及び第２ファンモータ３１，３２が回転し、ファンモータの故障検出装置４０では、第１及び第２電流計測器４２，４３により計測される各電流値ｆ１，ｆ２が制御装置４１に出力される。筐体冷却装置１０内においては、第１ファンモータ３１の回転により、筐体Ｂの内部空間の空気が下部空間Ｓ１内を通って熱交換器２０の各管部材２１内を通過して筐体Ｂの内部空間に還流する。また、第２ファンモータの３２の回転により、筐体Ｂの外部空間の空気が上部空間Ｓ２内の熱交換器２０の各管部材２１の外周面の間に送出され、熱交換器２０の各管部材２１内を通過する筐体Ｂの内部空間の空気と熱交換して上部空間Ｓ２の下半部から排出される。これにより、筐体Ｂの内部空間の加熱された空気は、熱交換器２０の各管部材２１内を通過するときに筐体Ｂの外部空間の空気と熱交換されて冷却される。
【００２７】
この作動中に、図２に示すように、ファンモータの故障検出装置４０では、制御装置４１に第１及び第２電流計測器４２，４３により計測された第１及び第２ファンモータ３１，３２の各電流値ｆ１，ｆ２が所定の小時間間隔で入力される。制御装置４１は、先ず各ファンモータ３１，３２の起動時に、しきい値算出手段により、第１及び第２ファンモータ３１，３２のしきい値を算出する。詳説すると、制御装置４１は、回転開始時に第１及び第２電流計測器４２，４３により計測された開始電流の最大値ｆ１ｂ，ｆ２ｂを予めメモリ４４に記憶する。予め設定された時間が経過すると、制御装置４１は、第１及び第２ファンモータ３１，３２が通常回転状態となったと判断して、メモリ４４に記憶された開始電流の最大値ｆ１ｂ，ｆ２ｂと第１及び第２電流計測器４２，４３により計測された通常電流値ｆ１ｃ，ｆ２ｃとの差ΔＣ１，ΔＣ２を算出し、これらの差ΔＣ１，ΔＣ２に許容係数Ｐを乗じて第１及び第２しきい値Ｄ１，Ｄ２を算出してメモリ４４に記憶する。
【００２８】
次に、制御装置４１は、補正係数算出手段により補正係数Ｒ１，Ｒ２を算出する。詳説すると、第１及び第２ファンモータ３１，３２が正常作動状態であるときに操作者が図示しない補正ボタンを押すと、制御装置４１は、第１及び第２電流計測器４２，４３により計測された電流値ｆ１ａ，ｆ２ａが、前述した同一の補正電流値Ｆとなるような第１及び第２補正係数Ｒ１，Ｒ２を算出する。また、制御装置４１は、しきい値算出手段により算出した第１及び第２しきい値Ｄ１，Ｄ２に上記の第１及び第２補正係数Ｒ１，Ｒ２を乗じて第１及び第２補正しきい値Ｄａ１，Ｄａ２を算出してメモリ４４に記憶する。
【００２９】
引き続き、制御装置４１は、所定の短い時間間隔で、第１及び第２ファンモータ３１，３２の拘束の有無の判断を繰り返して行う。これを詳説すると、制御装置４１は、補正手段を用いたうえで、第１及び第２電流計測器４２，４３により計測される各電流値ｆ１，ｆ２にこれら第１及び第２補正係数Ｒ１，Ｒ２を乗じた第１及び第２補正電流値Ｆ１，Ｆ２を算出し、第１補正電流値Ｆ１から第２補正電流値Ｆ２を減じた値Ｆ１−Ｆ２が第１補正しきい値Ｄａ１を超えたか否かの判断をし、第２補正電流値Ｆ２から第１補正電流値Ｆ１を減じた値Ｆ２−Ｆ１が所定の第２補正しきい値Ｄａ２を超えたか否かの判断をする。第１ファンモータ３１に拘束による故障が発生すると、図３のＦ１に示すように、第１ファンモータ３１に流れる電流が上昇する。このとき、図３のＦ１−Ｆ２に示すように、第１補正電流値Ｆ１が大きくなってＦ１−Ｆ２の値が第１補正しきい値Ｄａ１を超えたときには、第１ファンモータ３１の拘束による故障が発生したと判断して警報器４５により報知する。同様に、第２ファンモータ３２に拘束による故障が発生すると、第２ファンモータ３２に流れる電流が上昇し、第２補正電流値Ｆ２が大きくなってＦ２−Ｆ１の値が第２補正しきい値Ｄａ２を超えたときには、第２ファンモータ３２の拘束による故障が発生したと判断して警報器４５により報知する。
【００３０】
上述のように説明した本発明のファンモータの故障検出装置４０を用いた筐体冷却装置１０によれば、ファンモータの故障検出装置４０は第１及び第２ファンモータ３１，３２に流れる各電流を計測する第１及び第２電流計測器４２，４３と、第１及び第２電流計測器４２，４３により計測される一方の電流値から他方の電流値を減じた値が所定のしきい値を超えたときに一方の電流値が計測された第１または第２ファンモータ３１，３２の拘束による故障が生じたと判断する制御装置４１とを備えている。第１及び第２ファンモータに３１，３２に供給される各電流は、交流電源に接続される他の電気機器の電力使用状況により変動することがあるが、この変動は第１及び第２ファンモータ３１，３２にそれぞれ同じように生じるものであるので、一方の電流値と他方の電流値の差はこの変動の影響を受けることがない。よって、第１及び第２ファンモータ３１，３２に供給される各ファンモータからみた電源電圧の変動による影響を受けることなく各ファンモータ３１，３２の拘束による故障を検出することができる。
【００３１】
また、ファンモータの故障検出装置４０の制御装置４１は、第１及び第２ファンモータ３１，３２が正常作動状態に第１及び第２電流計測器４２，４３により計測される各電流値ｆ１，ｆ２が互いに異なるときに両方の電流値が互いに同一となるように少なくとも一方の電流値に所定の補正係数Ｒ１，Ｒ２を乗じて補正電流値Ｆ１，Ｆ２を算出する補正手段とを備えている。制御装置４１は、この補正電流値Ｆ１，Ｆ２を一方または他方の電流値として用いて比較することにより、第１または第２ファンモータ３１，３２の拘束による故障が生じたと判断しているので、第１及び第２ファンモータ３１，３２に仕様や製品毎のばらつきが異なることで電流の大きさが異なるファンモータを用いたり、第１及び第２ファンモータ３１，３２をそれぞれ互いに異なる数のファンモータを備えるようにすることも可能となる。本実施形態は、この補正手段による補正電流値Ｆ１，Ｆ２を一方または他方の電流値として用いて第１または第２ファンモータ３１，３２の拘束による故障が生じたと判断するものであるが、本発明はこれに限られず、第１及び第２ファンモータ３１，３２が互いに同一の仕様により電流の大きさが同じであるときには、補正手段を用いることなく各電流値ｆ１，ｆ２を直接比較することにより第１または第２ファンモータ３１，３２の拘束による故障が生じたと判断することも可能である。
【００３２】
また、制御装置４１は、第１及び第２ファンモータ３１，３２の回転開始時に一時的に高くなる開始電流の最大値ｆ１ｂ，ｆ２ｂと回転開始後の通常回転時の通常電流値ｆ１ｃ，ｆ２ｃとの差ΔＣに拘束と判断する許容範囲を定める許容係数Ｐを乗じてしきい値Ｄ１，Ｄ２を算出するしきい値算出手段を備えている。しきい値を算出するために用いられる開始電流の最大値ｆ１ｂ，ｆ２ｂは、各ファンモータ３１，３２が拘束による故障を生じたときに流れる電流値と相関関係があるので、個々のファンモータ３１，３２毎に適切なしきい値を設定することができ各ファンモータ３１，３２が拘束による故障が生じたと正確に判断できるようになる。本実施形態は、このしきい値算出手段により算出されるしきい値Ｄ１，Ｄ２（または第１及び第２補正しきい値Ｄａ１，Ｄａ２）を用いて第１または第２ファンモータ３１，３２の拘束による故障が生じたと判断しているが、本発明はこれに限られず、予め設定された一定値のしきい値により第１または第２ファンモータ３１，３２の拘束による故障が生じたと判断してもよい。
【００３３】
従来の筐体冷却装置に用いられるファンモータには、センサが一体的に取り付けられたセンサ付きファンモータを用い、サーチコイルとマグネットからなるセンサ近傍を金属製の羽根が通過することによる磁束変化により発生するパルス信号によりファンの回転速度の低下を検知し、このようにしてファンモータの拘束による故障を検出するものがあるが、このようなファンモータが故障したときには、ファンモータとともに故障をしていないセンサも取り替えなければならない。これに対し、本発明の筐体冷却装置１０であれば、各電流計測器４２，４３は各ファンモータ３１，３２と一体のものでなく分離して取り付けられているので、各ファンモータ３１，３２が故障したときには各電流計測器４２，４３を残して各ファンモータ３１，３２だけを取り替えればよく、上記のものと比較して取り替え費用を安く抑えることができる。
【００３４】
本実施形態においては、ファンモータの故障検出装置４０は熱交換器２０を備えた筐体冷却装置１０に用いられているが、本発明はこれに限られるものでなく、第１ファンモータと第２ファンモータとが同一の交流電源に対して並列に接続されてこれらから送出される空気を直接発熱体に送出することで冷却する送風装置に用いるようにしてもよい。
【００３５】
本実施形態においては、ファンモータの故障検出装置４０は、送風装置３０の１組のファンモータ３１，３２の拘束による故障を検出するようにしているが、本発明はこれに限られるものでなく、送風装置３０のファンモータを第１ファンモータ３１Ａ，３１Ｂ・・，第２ファンモータ３２Ａ，３２Ｂ・・のように２組以上とし、ファンモータの故障検出装置４０は、２組以上のファンモータに対応させて第１電流計測器４２Ａ，Ｂ・・，第２電流計測器４３Ａ，Ｂ・・として、各ファンモータ３１Ａ，３１Ｂ・・・，３２Ａ，３２Ｂ・・・の拘束による故障を検出するようにしてもよい。
【図面の簡単な説明】
【００３６】
【図１】本発明による一実施形態であるファンモータの故障検出装置を用いた筐体冷却装置を示す側断面図である。
【図２】第１及び第２ファンモータの正常運転時に流れる電流値を示す図である。
【図３】第１ファンモータに拘束による故障したときに第１及び第２ファンモータに流れる電流値を示す図である。
【符号の説明】
【００３７】
１０…筐体冷却装置、２０…熱交換器、３１…第１ファンモータ、３２…第２ファンモータ、４０…ファンモータの故障検出装置、４１…制御装置、４２…第１電流計測器、４３…第２電流計測器、Ｂ…筐体、Ｃ…発熱体（制御盤）。
【図１】
2009254114.tif 000003
【図２】
2009254114.tif 000004
【図３】
2009254114.tif 000005